(57)【特許請求の範囲】
【請求項１】
建物に設備されるエレベーターの昇降路における各階床間を昇降する乗りかごを有すると共に、当該昇降路内又は当該乗りかごに設けられた複数の機器の作動確認を行う検査機能を有するエレベーター装置であって、
前記乗りかごの外部に設けられて鳴動音を発音可能な発音装置と、前記昇降路内に設けられて前記乗りかごの運転を制御する制御装置と、を備え、
前記制御装置は、エレベーターの検査モード設定時に前記複数の機器が出力した疑似的な検知信号を受信したときに、前記発音装置から前記鳴動音を周期が異なるように発音させて当該複数の機器を識別可能に対応させることにより、当該複数の機器の出力信号の確認を行うことを特徴とするエレベーター装置。
【請求項２】
請求項１記載のエレベーター装置において、
前記複数の機器は、前記昇降路内に設けられて地震の発生を検知して少なくとも第１の地震検知信号、第２の地震検知信号、及び第３の地震検知信号を出力する地震感知器を含んでおり、
前記制御装置は、前記検査モード設定時に前記地震感知器からの前記第１の地震検知信号、前記第２の地震検知信号、及び前記第３の地震検知信号のそれぞれに応じて前記発音装置から第１のパターン、第２のパターン、及び第３のパターンの鳴動音を発音させることを特徴とするエレベーター装置。
【請求項３】
請求項２記載のエレベーター装置において、
前記制御装置は、前記地震感知器からの前記第１の地震検知信号、前記第２の地震検知信号、及び前記第３の地震検知信号の何れかを受信した場合、次の地震検知信号を受信するまでの期間において、前記発音装置から対応するパターンの鳴動音を所定期間発音させることを特徴とするエレベーター装置。
【請求項４】
請求項２又は３記載のエレベーター装置において、
前記制御装置は、前記発音装置から前記第１のパターンの鳴動音として周期［ｆ］でオン・オフする鳴動音パターン、前記第２のパターンの鳴動音として周期［ｆ／２］でオン・オフする鳴動音パターン、前記第３のパターンの鳴動音として周期［ｆ／６］でオン・オフする鳴動音パターンをそれぞれ発音させることを特徴とするエレベーター装置。
【請求項５】
請求項１〜４の何れか１項記載のエレベーター装置において、
前記複数の機器は、前記乗りかごの床下に設けられて当該乗りかごの搭載荷重が基準値を超えたときに過荷重検知信号を出力する秤装置、及び前記昇降路内の冠水を検知すると冠水検知信号を出力するフロートスイッチを含んでおり、
前記制御装置は、通常動作モード時に前記秤装置から前記過荷重検知信号を受信したときに前記発音装置から前記鳴動音を発音させることを特徴とするエレベーター装置。
【請求項６】
建物に設備されるエレベーターの昇降路における各階床間を昇降する乗りかごを有すると共に、当該昇降路内又は当該乗りかごに設けられた複数の機器の作動確認を行う検査機能を有するエレベーター装置の検査方法であって、
前記乗りかごの外部に鳴動音を発音可能な発音装置を設けると共に、前記昇降路内に前記乗りかごの運転を制御する制御装置を設け、
前記制御装置が、エレベーターの検査モード設定時に当該複数の機器が出力した疑似的な検知信号を受信したときに、前記発音装置から鳴動音を周期が異なるように発音させて当該複数の機器を識別可能に対応させることにより、当該複数の機器の出力信号の確認を行うことを特徴とするエレベーター装置の検査方法。
【発明の詳細な説明】
【技術分野】
【０００１】
本発明は、昇降路内に設けられた機器の作動確認を行う検査機能を有するエレベーター装置及びその検査方法に関する。
【背景技術】
【０００２】
従来、建物に設備されるエレベーターの昇降路の上部に機械室が設けられていないタイプの機械室レスエレベーター装置において、昇降路内に設けられて乗りかごの運転を制御する制御装置を含む複数の機器の作動確認を行う際、昇降路内で確認作業を行う必要があるが、乗りかごが高速稼働中状態であれば安全上、昇降路内での確認作業を行うことが不可となるため、こうした場合には機器の出力信号が制御装置に取り込まれるか（配線が繋がっているか）を確認する機器出力確認作業と、制御装置に信号が届いたことを模擬してエレベーター装置が問題なく管制運転するか否かを確認する機能確認作業との２つの項目を分割して検査を実施している。
【０００３】
例えば前者の機器出力確認作業を具体的に実施する場合には、保守点検作業者が乗場と昇降路内とに分かれ、昇降路内の作業者が疑似的に機器を作動させ、乗場の作業者が機器の出力信号を確認することで検査を行っているが、こうした手法では保守点検作業者が乗場と昇降路内とに分かれて作業をしなければならず、作業効率が悪くなってしまうという問題が解消されない。そこで、こうした問題を解消する技術が提案されており、係る周知技術として、保守点検作業の安全性及び作業性を向上させる「エレベーター管制運転装置及びその装置の保守点検方法」（特許文献１参照）が挙げられる。
【先行技術文献】
【特許文献】
【０００４】
【特許文献１】特開２００６−２３２４８８号公報
【発明の概要】
【発明が解決しようとする課題】
【０００５】
上述した特許文献１記載の技術は、昇降路内の機器の感知器からの検知信号が制御盤のエレベーター制御装置に入力された場合に乗りかご内で停止スイッチ及び保守スイッチが投入されているときに音声発生手段から音を発生させて機器の出力信号の確認を行う検査手法を提案している。
【０００６】
ところが、こうした検査手法では構成上、音声発生手段が乗りかご内に設けられるため、エレベーターの乗りかご外での検査作業を考慮したものでなく、音声発生手段から音を発生させても昇降路内にいる保守点検作業者が機器（感知器）の出力信号の確認を行うことが困難であるという問題がある他、感知器以外の複数の機器の出力信号の確認を行うことが困難であるという問題もある。
【０００７】
本発明は、このような問題点を解決すべくなされたもので、その技術的課題は、エレベーターの乗りかご外の検査作業で容易に複数の機器の出力信号の確認を行うことが可能であり、保守点検の検査作業の質的向上に貢献できるエレベーター装置及びその検査方法を提供することにある。
【課題を解決するための手段】
【０００８】
上記技術的課題を解決するため、本発明のエレベーター装置は、建物に設備されるエレベーターの昇降路における各階床間を昇降する乗りかごを有すると共に、当該昇降路内又は当該乗りかごに設けられた複数の機器の作動確認を行う検査機能を有するエレベーター装置であって、乗りかごの外部に設けられて鳴動音を発音可能な発音装置と、昇降路内に設けられて前記乗りかごの運転を制御する制御装置と、を備え、制御装置は、エレベーターの検査モード設定時に複数の機器が出力した疑似的な検知信号を受信したときに、発音装置から鳴動音を周期が異なるように発音させて当該複数の機器を識別可能に対応させることにより、当該複数の機器の出力信号の確認を行うことを特徴とする。
【０００９】
また、上記技術的課題を解決するため、本発明のエレベーター装置の検査方法は、建物に設備されるエレベーターの昇降路における各階床間を昇降する乗りかごを有すると共に、当該昇降路内又は当該乗りかごに設けられた複数の機器の作動確認を行う検査機能を有するエレベーター装置の検査方法であって、乗りかごの外部に鳴動音を発音可能な発音装置を設けると共に、昇降路内に乗りかごの運転を制御する制御装置を設け、この制御装置が、エレベーターの検査モード設定時に当該複数の機器が出力した疑似的な検知信号を受信したときに、発音装置から鳴動音を周期が異なるように発音させて当該複数の機器を識別可能に対応させることにより、当該複数の機器の出力信号の確認を行うことを特徴とする。
【発明の効果】
【００１０】
本発明によれば、上記構成により、エレベーターの乗りかご外の検査作業で容易に複数の機器の出力信号の確認を行うことが可能であり、保守点検の検査作業の質的向上に貢献できるようになる。上記した以外の課題、構成及び効果は、以下の実施の形態の説明により明らかにされる。
【図面の簡単な説明】
【００１１】
【図１】本発明の実施例に係るエレベーター装置の要部の概略構成を示したブロック図である。
【図２】図１に示すエレベーター装置の昇降路内に備えられる地震感知器が出力する地震検知信号に係るタイミングチャートである。
【図３】図２に示す地震感知器からの地震検知信号、エレベーター装置の昇降路内に備えられるフロートスイッチからの冠水検知信号、並びに秤装置からの過荷重検知信号の出力時にエレベーター装置の昇降路内に備えられる制御装置による制御信号を受けて乗りかご上に設けられた発音装置から発音される周期が異なる鳴音パターンを示す図である。
【図４】図１に示すエレベーター装置における制御装置に係る各機器への検査モード設定時の動作処理を示したフローチャートである。
【発明を実施するための形態】
【００１２】
以下に、本発明のエレベーター装置及びその検査方法について、実施例を挙げ、図面を参照して詳細に説明する。
【実施例】
【００１３】
図１は、本発明の実施例に係るエレベーター装置１の要部の概略構成を示したブロック図である。
【００１４】
図１を参照すれば、ここでのエレベーター装置１は、建物に設備されるエレベーターの昇降路２の上部に機械室が設けられていない機械室レスのタイプであり、昇降路内２ａの上部に設置された図示されない駆動綱車と、この駆動綱車に巻き掛けられた主ロープ３と、主ロープ３の一端側に連結されて昇降路２における各階床間を昇降する乗りかご４と、主ロープ３の他端側に連結された図示されない釣合い錘（カウンタウェイト）と、昇降路床面１０に設けられた緩衝器１１と、昇降路内２ａ又は乗りかご４に設けられた複数の機器と、を備えている。
【００１５】
このうち、複数の機器は、昇降路内２ａに設けられて駆動綱車の駆動源を制御することで乗りかご４を制御する制御装置５ａを含む制御盤５と、昇降路内２ａに設けられて地震の発生を検知すると地震検知信号を出力する地震感知器６と、昇降路床面１０の緩衝器１１近傍に設けられて昇降路内２ａの冠水を検知すると冠水検知信号を出力するフロートスイッチ７と、乗りかご４の床下に設けられて乗りかご４の搭載荷重が基準値を超えたときに過荷重検知信号を出力する秤装置８と、乗りかご４の外部（ここでは天井）に設けられて制御装置５ａによる制御指令により鳴動音を発音可能な発音装置９と、を備えて構成され、これらの地震感知器６、フロートスイッチ７、秤装置８、発音装置９は、それぞれ通信ケーブル６ａ、７ａ、８ａ、９ａを介して制御装置５ａに接続されている。
【００１６】
また、地震感知器６は、昇降路床面１０付近の昇降路内２ａの壁に設けられており、地震の発生を検知すると、通信ケーブル６ａを介して少なくとも第１の地震検知信号、第２の地震検知信号、及び第３の地震検知信号を制御装置５ａへ出力する。フロートスイッチ７は、昇降路床面１０に設置された緩衝器１１に設けられるのが一般的であり、昇降路内２ａの冠水を検知すると通信ケーブル７ａを介して冠水検知信号を制御装置５ａへ出力する。秤装置８は、乗りかご４の搭載荷重が基準値を超えると通信ケーブル８ａを介して過荷重検知信号を制御装置５ａへ出力する。発音装置９は、地震感知器６で地震の発生が検知されるか、フロートスイッチ７で昇降路内２ａの冠水が検知されるか、或いは秤装置８で乗りかご４の搭載荷重が基準値を超えた状態が検知されたときに制御装置５ａから通信ケーブル９ａを介して制御指令を示す制御信号が伝送され、その制御信号に従って鳴動音を発音する。因みに、発音装置９は、エレベーター装置１の故障時や乗りかご４内に設置される図示されないインターホンのボタン押下時にブザー警報する機能等も兼ねている。
【００１７】
更に、制御装置５ａは、エレベーターの検査モードが設定された検査モード設定時に複数の機器（ここでは地震感知器６、フロートスイッチ７、秤装置８を示す）が出力した疑似的な検知信号を受信したときに制御指令を示す制御信号を送出して発音装置９から鳴動音を周期が異なるように発音させて各機器を識別可能に対応させることにより、各機器の出力信号の確認を行う検査機能を持つ。尚、制御装置５ａは、通常動作モード時において、秤装置８から過荷重検知信号を受信したときに発音装置９から鳴動音を発音させるようにすることが好ましい。
【００１８】
図２は、実施例に係るエレベーター装置１の昇降路内２ａに備えられる地震感知器６が出力する地震検知信号に係るタイミングチャートである。
【００１９】
図２を参照すれば、地震感知器６は、地震計を構成する３つのセンサーとして、伝播速度が速いＰ波（縦波）用特低センサー（Ｖセンサー）６ｂ、伝播速度が遅いＳ波（横波）用低センサー（「低」として表記）６ｃ及び高センサー（「高」として表記）６ｄと、検査時に使用するテストボタン６ｅと、を備えて構成される。テストボタン６ｅは、１回押下するとテストモード（検査モード）に切り替わり、更に１回押下して２回分の押下を行うとＰ波用特低センサー６ｂに係る第１の地震検知信号が１０秒間出力され、更に１回押下して３回分の押下を行うとＳ波用低センサー６ｃに係る第２の地震検知信号が１０秒間出力され、更に１回押下して４回分の押下を行うとＳ波用高センサー６ｄに係る第３の地震検知信号が１０秒間出力され、更に１回押下して５回分の押下を行うとテストモードが解除されるようになっている。
【００２０】
また、地震感知器６は、地震計に３つのセンサーが備えられていることにより、検査モード設定時にどのセンサーが地震検知信号を出力しており、発音装置９からそれに対応してどの周期の鳴動音を発音させるかを明確にするため、制御装置５ａによる制御信号の制御指令はＰ波用特低センサー６ｂに係る第１の地震検知信号に対して連続鳴動６ｆ、Ｓ波用低センサー６ｃに係る第２の地震検知信号に対して鳴動間隔Ａ６ｇ、Ｓ波用高センサー６ｄに係る第３の地震検知信号に対して鳴動間隔Ｂ６ｈであるとし、それぞれ周期が異なる鳴動パターンとする。
【００２１】
図３は、上述した地震感知器６からの地震検知信号、エレベーター装置１の昇降路内２ａに備えられるフロートスイッチ７からの冠水検知信号、並びに秤装置８からの過荷重検知信号の出力時（機器出力）にエレベーター装置１の昇降路内２ａに備えられる制御装置５ａによる制御信号を受けて乗りかご４上に設けられた発音装置９から発音される周期が異なる鳴音パターンを示す図である。
【００２２】
図３を参照すれば、発音装置９から発音される鳴音パターンは、地震感知器６の地震計からのＰ波用特低センサー（特低として表記）６ｂに係る第１の地震検知信号、Ｓ波用低センサー６ｃ（低として表記）に係る第２の地震検知信号、及びＳ波用高センサー６ｄ（高として表記）に係る第３の地震検知信号のそれぞれに応じて発音装置９から第１のパターン（連続鳴動６ｆ）、第２のパターン（鳴動間隔Ａ６ｇ）、及び第３のパターン（鳴動間隔Ｂ６ｈ）の鳴動音を発音させるものであり、具体的には第１のパターンの鳴動音として周期［ｆ］１２でオン・オフする鳴動音パターン、第２のパターンの鳴動音として周期［ｆ／２］１３でオン・オフする鳴動音パターン、第３のパターンの鳴動音として周期［ｆ／６］１４でオン・オフする鳴動音パターンをそれぞれ発音させる。このように、それぞれ異なる周期の鳴動音パターンとすれば、どのセンサーが地震検知信号を出力し、発音装置９からどのような周期の鳴動音を対応させて発音させているかを明確に把握することができる。因みに、フロートスイッチ７からの冠水検知信号や秤装置８からの過荷重検知信号に応じて発音する鳴動音パターンについては、地震感知器６と一緒に機器の出力信号を確認することがないため、周期［ｆ］１２でオン・オフする鳴動音パターンとなっている。但し、この鳴動音パターンについても、異なる周期に設定することが可能である。
【００２３】
図４は、上述したエレベーター装置１における制御装置５ａに係る各機器への検査モード設定時の動作処理を示したフローチャートである。
【００２４】
図４を参照すれば、ここでの検査モード設定時の動作処理は、地震感知器６、フロートスイッチ７、秤装置８のそれぞれを対象にして各機器の出力信号の確認を行うものであるが、エレベーターが検査モードを設定した状態では地震感知器６、フロートスイッチ７、秤装置８のそれぞれから検知信号が疑似的に出力されるため、最初に設定判定工程として、エレベーターの検査モードが設定されているか否かの判定（ステップＳ１）を行う。この判定の結果、検査モードが設定されていなければ係る判定（ステップＳ１）の前に戻って設定判定工程を繰り返す（継続する）が、検査モードが設定されていれば検知信号判定工程へ移行する。
【００２５】
次に、検知信号判定工程では、地震感知器６、フロートスイッチ７、秤装置８の何れか１つから疑似的な検知信号（機器出力信号）が制御装置５ａに取り込まれたか否かの判定（ステップＳ２）を行う。この判定の結果、検知信号（機器出力信号）が取り込まれていなければ係る判定（ステップＳ２）の前に戻って検知信号判定工程を繰り返す（継続する）が、検知信号（機器出力信号）が取り込まれていれば信号出力判定工程へ移行する。
【００２６】
更に、信号出力判定工程では、制御装置５ａから乗りかご４外部（天井）の発音装置９に信号（機器別に周期設定された鳴動音を発音させるための制御指令を示す制御信号）を出力（ステップＳ３）した後、鳴動音発生工程へ移行する。
【００２７】
加えて、鳴動音発生工程では、制御信号に従って乗りかご４外部（かご外部）の発音装置９から（機器別に周期設定された）鳴動音を発生（ステップＳ４）させた後、次の機器確認へ移行する。このようにして、地震感知器６、フロートスイッチ７、秤装置８の全ての検査が終了するまで同様な動作処理が行われる。何れにしても、鳴動音発生工程で発音装置９からの機器別に周期設定された鳴動音を確認することにより、保守点検業者がエレベーターの乗りかご４外の検査作業として、例えば昇降路内２ａで各機器が正常に作動していることをその場で確認することが可能となり、各機器の出力信号の確認を適確に行うことができる。
【００２８】
このように、実施例に係るエレベーター装置１は、昇降路内２ａ又は乗りかご４に設けられた複数の機器（地震感知器６、フロートスイッチ７、秤装置８）の作動確認を行う検査機能を構築するため、乗りかご４の外部（天井）に鳴動音を発音可能な発音装置９を設け、昇降路内２ａに設けられて乗りかご４の運転を制御する制御盤５内の制御装置５ａによって、エレベーターの検査モード設定時に各機器が出力した疑似的な検知信号を受信したときに制御指令を示す制御信号を送出して発音装置９から鳴動音を周期が異なるように発音させて各機器を識別可能に対応させることにより、昇降路２内で保守点検作業者がその場で各機器の出力信号の確認を行って適確に検査を実施することができるため、エレベーターの乗りかご４外の検査作業で容易に各機器の出力信号の確認を行うことが可能であり、保守点検の検査作業の質的向上に貢献できるようになる。
【００２９】
因みに、実施例に係るエレベーター装置１の技術的概要は、建物に設備されるエレベーターの昇降路２における各階床間を昇降する乗りかご４を有すると共に、昇降路内２ａ又は乗りかご４に設けられた複数の機器の作動確認を行う検査機能を有するエレベーター装置１の検査方法として換言することができる。この検査方法では、複数の機器のうちの昇降路内２ａに設けられて乗りかご４の運転を制御する制御装置５ａによって、エレベーターの検査モード設定時に各機器が出力した疑似的な検知信号を受信したときに制御指令を示す制御信号を送出して各機器のうちの乗りかご４の外部（天井）に設けられた発音装置９から鳴動音を周期が異なるように発音させて各機器を識別可能に対応させることにより、各機器の出力信号の確認を行う旨を特徴とする。
【００３０】
尚、実施例に係るエレベーター装置１では、１台の乗りかご４が昇降路２における各階床間を昇降する１系統の構成を例示したが、乗りかご４が並設されて群管理される複数系統の構成としても同等に適用することが可能である。但し、こうした場合、少なくとも地震感知器６を除く発音装置９や秤装置８、フロートスイッチ７は乗りかご４毎に設けられる構成となり、制御盤５内の制御装置５ａも乗りかご４の総数と同じ数だけ設定される。このように、本発明のエレベーター装置１（及びその検査方法）は、細部構成や処理機能（処理内容）について種々変更することが可能であるため、実施例で開示した形態に限定されない。
【符号の説明】
【００３１】
１  エレベーター装置
２  昇降路
２ａ  昇降路内
３  主ロープ
４  乗りかご
５  制御盤
５ａ  制御装置
６  地震探知器
６ａ、７ａ、８ａ、９ａ  通信ケーブル
６ｂ  Ｐ波用特低センサー（Ｖセンサー）
６ｃ  Ｓ波用低センサー
６ｄ  Ｓ波用高センサー
６ｅ  テストスイッチ
６ｆ  連続鳴動
６ｇ  鳴動間隔Ａ
６ｈ  鳴動間隔Ｂ
７  フロートスイッチ
８  秤装置
９  発音装置
１０  昇降路床面
１１  緩衝器
１２  周期［ｆ］
１３  周期［ｆ／２］
１４  周期［ｆ／６］
【図１】
0006342312.tif 000002
【図２】
0006342312.tif 000003
【図３】
0006342312.tif 000004
【図４】
0006342312.tif 000005